(57)【要約】      （修正有）【課題】ショッピング時に便利であると共に、一時的な収納容器としても機能するバッグ兼用収納容器を提供する。【解決手段】バッグ兼用収納容器１０は、開口部２３が平板状の底板２２より広く形成され、被収容物を収容可能であると共に積層して積み重ね可能な樹脂材製の収容部２０と、この収容部２０の上縁部に設けられた持ち手部３０とを備えている。【選択図】図１
0003230854.tif 000002
【実用新案登録請求の範囲】
【請求項１】
開口部が平板状の底板より広く形成され、被収容物を収容可能であると共に積層して積み重ね可能な樹脂材製の収容部と、
この収容部の上縁部に設けられた持ち手部とを備えていることを特徴とするバッグ兼用収納容器。
【請求項２】
前記開口部を蓋する平板状の蓋部をさらに備えていることを特徴とする請求項１に記載のバッグ兼用収納容器。
【請求項３】
前記蓋部は、前記収容部より硬質の樹脂材で形成されていることを特徴とする請求項２に記載のバッグ兼用収納容器。
【考案の詳細な説明】
【技術分野】
【０００１】
本考案は、手持ち機能を兼ねたバッグ兼用収納容器に関するものである。
【背景技術】
【０００２】
物品を一時的に収納しておく収納容器として様々なものが知られている（例えば、特許文献１参照。）。このような収納容器は、収納性に優れているものの、持ち運びを前提に設計されていないため、買い物等に用いるショッピングバッグのような用途には適していない。
【０００３】
一方、ショッピングバッグとして様々なものが知られている（例えば、特許文献２参照。）。このようなショッピングバッグは、柔軟な素材で形成することで、軽量であり、携帯性に優れており、買い物に便利な様々な工夫がなされている。
【０００４】
しかしながら近年、自家用車を用いて大型ショッピングセンタ等において大量の物品をまとめ買いするケースが増えている。このような場合、柔軟なショッピングバッグであると、自家用車のトランクの中や、帰宅時に物品が崩れる等の問題があった。
【先行技術文献】
【特許文献】
【０００５】
【特許文献１】特開平８−１６４９４７号公報
【特許文献２】実用新案登録第３１７０６６４号公報
【考案の概要】
【考案が解決しようとする課題】
【０００６】
上述したように収納容器にあっては、持ち運びに不便であった。また、ショッピングバッグは、柔軟であるため、大量に収納すると内部の物品が崩れる虞があった。
【０００７】
本考案は、このような課題に鑑みてなされたものであり、その目的とするところは、ショッピング時に便利であると共に、一時的な収納容器としての機能を有するバッグ兼用収納容器を提供することにある。
【課題を解決するための手段】
【０００８】
本考案は、開口部が平板状の底板より広く形成され、被収容物を収容可能であると共に積層して積み重ね可能な樹脂材製の収容部と、この収容部の上縁部に設けられた持ち手部とを備えている。
【考案の効果】
【０００９】
本考案のバッグ兼用収納容器によれば、ショッピング時に便利であると共に、一時的な収納容器としての機能を発揮することができる。
【図面の簡単な説明】
【００１０】
【図１】本考案の実施形態であるバッグ兼用収納容器を示す斜視図である。
【図２】同バッグ兼用収納容器の使用時の状態を示す側面図である。
【図３】同バッグ兼用収納容器を積み重ねて用いた状態を示す斜視図である。
【図４】同バッグ兼用収納容器を積層した収納した状態を示す側面図である。
【考案を実施するための形態】
【００１１】
以下、図面を参照しつつ本考案の実施形態について説明する。  
図１は本考案の実施形態であるバッグ兼用収納容器１０を示す斜視図、図２はバッグ兼用収納容器１０の使用時の状態を示す側面図、図３はバッグ兼用収納容器１０を積み重ねて用いた状態を示す斜視図、図４はバッグ兼用収納容器を積層した収納した状態を示す側面図である。なお、図２中Ｍは使用者、Ｈは手を示している。
【００１２】
図１に示すように、バッグ兼用収納容器１０は、やや矩形状に形成された有底筒状の収容部２０と、この収容部２０の上部に設けられた持ち手部３０を備えている。バッグ兼用収納容器１０は全体がやや硬質な樹脂材製である。収容部２０は、筒状の収容部本体２１と、この収容部本体２１の下部に形成された平板状の底板２２とを備えている。また、収容部本体２１の上部には開口部２３が形成されている。開口部２３は底板２２より大きく形成されている。また、収容部本体２１の内寸は底板２２の外寸よりも大きく形成されている。
【００１３】
収容部本体２１の上縁部には、持ち手部３０が設けられている。持ち手部３０は、短冊状の持ち手３１と、この持ち手３１と収容部本体２１との接続部３２を備えている。接続部３２は収容部本体２１の外壁面に溶着部３３によって一体化されている。
【００１４】
このように構成されたバッグ兼用収納容器１０は、図１に示すように、底板２２が平板状であり、収容部２０はやや硬質な樹脂で形成されているため、床面等に置くことができる。また、収容部２０は少なくとも底板２２よりも大きく広がっているため自立する。したがって、ショッピングから帰宅後に内部に物品を収納したまま、放置しても物品が崩れることはない。
【００１５】
一方、ショッピング時には、図２に示すように、持ち手部３０を把持することで、収容部本体２１が内側に撓み、使用者Ｍの手Ｈによる片手持ちが可能となる。
【００１６】
図３には、開口部２３を蓋する平板状の蓋部４０を用いたものを示している。蓋部４０は、収容部２０よりも硬質な樹脂材で形成されており、開口部２３に沿って収容部本体２１を閉塞することができ、内部の物品を閉塞空間内で保存することができる。なお、図３に示すように、蓋部４０は開口部２３より大きいため、上部に同じバッグ兼用収納容器１０を積み重ねることができる。
【００１７】
図４は、バッグ兼用収納容器１０の収容部２０に何も入れていない場合に、積層して配置した状態を示している。上述したように、開口部２３は底板２２より大きく形成されると共に、収容部本体２１の内寸は底板２２の外寸よりも大きく形成されていることから、蓋部４０を取り外した状態であれば、バッグ兼用収納容器１０を積層した状態で保管できる。したがって、保管スペースを節約することができる。
【００１８】
このように本考案のバッグ兼用収納容器１０によれば、ショッピング時に便利であると共に、一時的な収納容器としての機能も兼ね合わせることができる。なお、バッグ兼用収納容器１０は、樹脂材製であるため、バケツ代わりに用いて水を収容したり、濡れた洗濯物を運搬する場合にも適している。また水洗い等も容易であるため、衛生的に保つことができる。この他、自宅で収納した状態のまま置いてあるものをそのまま自転車かごに入れ、近隣の公園や買い物などへ出かける際に使用することもでき、収納容器とショッピングバッグの利点を併せ持っている。
【００１９】
以上、本考案の実施形態について説明したが、本考案はこれに限定されることなくその趣旨を逸脱しない範囲で種々の改良・変更が可能であることは勿論である。例えば、上述した滑り止め部は間欠的に施工したが、全面に施工するようにしてもよい。
【産業上の利用可能性】
【００２０】
本考案は、ショッピング時に便利であると共に、一時的な収納容器としての機能を発揮するバッグ兼用収納容器として有効である。
【符号の説明】
【００２１】
１０…バッグ兼用収納容器、２０…収容部、２１…収容部本体、２２…底板、２３…開口部、３０…持ち手部、３１…持ち手、３２…接続部、３３…溶着部、４０…蓋部。
【図１】
0003230854.tif 000003
【図２】
0003230854.tif 000004
【図３】
0003230854.tif 000005
【図４】
0003230854.tif 000006